(57)【要約】【課題】文書画像内の文字情報を登録する際に、文字認識の精度を高く維持しつつ、迅速な登録を支援すること。【解決手段】本発明の情報処理装置は、画像情報内の文字情報と、当該文字情報の種類を表す項目と、を認識する認識手段と、表示装置に、画像情報と、項目毎に対応する入力欄と、を表示すると共に、認識した文字情報を当該文字情報の項目に対応する入力欄内に表示して当該入力欄内において文字情報の修正入力を受け付け可能とする表示制御手段と、入力欄に入力された文字情報を記憶装置に記憶する登録手段と、を備える。そして、上記認識手段は、認識した文字情報の認識精度を判別し、上記表示制御手段は、文字情報の認識精度に応じて当該文字情報の項目に対応する前記入力欄の表示状態を制御する。【選択図】図１
2020017149.tif 000002
【特許請求の範囲】
【請求項１】
画像情報内の文字情報と、当該文字情報の種類を表す項目と、を認識する認識手段と、
表示装置に、前記画像情報と、前記項目毎に対応する入力欄と、を表示すると共に、認識した前記文字情報を当該文字情報の前記項目に対応する前記入力欄内に表示して当該入力欄内において前記文字情報の修正入力を受け付け可能とする表示制御手段と、
前記入力欄に入力された前記文字情報を記憶装置に記憶する登録手段と、を備え、
前記認識手段は、認識した前記文字情報の認識精度を判別し、
前記表示制御手段は、前記文字情報の認識精度に応じて当該文字情報の前記項目に対応する前記入力欄の表示状態を制御する、
情報処理装置。
【請求項２】
請求項１に記載の情報処理装置であって、
前記表示制御手段は、認識精度が予め設定された基準よりも低い前記文字情報である対象文字情報の前記項目に対応する前記入力欄を、認識精度が予め設定された基準よりも高い他の前記文字情報の前記項目に対応する前記入力欄とは異なる特定表示状態で表示する、
情報処理装置。
【請求項３】
請求項２に記載の情報処理装置であって、
前記表示制御手段は、前記対象文字情報の前記項目に対応する前記入力欄に対する修正入力を受け付け可能とすると共に、前記画像情報内における前記対象文字情報の表示箇所を他の箇所とは異なる表示状態で表示する、
情報処理装置。
【請求項４】
請求項３に記載の情報処理装置であって、
前記表示制御手段は、前記画像情報及び前記入力欄は別に、前記画像情報内における前記対象文字情報の表示箇所を拡大して表示する、
情報処理装置。
【請求項５】
請求項４に記載の情報処理装置であって、
前記表示制御手段は、複数の前記項目にそれぞれ対応する複数の前記入力欄のうち一部の当該入力欄が表示領域に表示可能なようスクロール表示すると共に、前記表示領域に前記対象文字情報の前記項目に対応する前記入力欄が表示されている場合に、当該入力欄を前記特定表示状態で表示し、当該入力欄に入力されている前記対象文字情報の前記画像情報内における表示箇所を他の箇所とは異なる表示状態で表示し、さらに、当該表示箇所を拡大して表示する、
情報処理装置。
【請求項６】
請求項２乃至５のいずれかに記載の情報処理装置であって、
前記表示制御手段は、前記対象文字情報の前記項目に対応する前記入力欄を、他の前記入力欄とは異なる色で表示する、
情報処理装置。
【請求項７】
画像情報内の文字情報と、当該文字情報の種類を表す項目と、を認識する認識工程と、
表示装置に、前記画像情報と、前記項目毎に対応する入力欄と、を表示すると共に、認識した前記文字情報を当該文字情報の前記項目に対応する前記入力欄内に表示して当該入力欄内において前記文字情報の修正入力を受け付け可能する表示制御工程と、
前記入力欄に入力された前記文字情報を記憶装置に記憶する登録工程と、を有し、
前記認識工程は、認識した前記文字情報の認識精度を判別し、
前記表示制御工程は、前記文字情報の認識精度に応じて当該文字情報の前記項目に対応する前記入力欄の表示状態を制御する、
情報処理方法。
【発明の詳細な説明】
【技術分野】
【０００１】
本発明は、文書画像内の文字情報の登録を支援する情報処理装置に関する。
【背景技術】
【０００２】
名刺などの文書を画像情報として取り込み、かかる画像情報内の文字情報を登録して管理したり利用することが行われている。特に、名刺は、営業活動などの対外的な企業活動に利用することができ、正確に記載されている文字情報を電子化して管理することが必要である。また、企業によっては、取得する名刺の数が膨大となり、迅速に電子化することも必要である。
【０００３】
ここで、名刺に記述されている文字情報は、会社名、役職、氏名、住所、電話番号、メールアドレスなど、多数の項目に渡る。このため、名刺に記載の文字情報を電子化する際には、各項目に対応させて、文字情報を自動または手動で入力して登録する必要がある。このとき、文字情報を自動で登録する際には、一般的にＯＣＲ（Ｏｐｔｉｃａｌ  Ｃｈａｒａｃｔｅｒ  Ｒｅｃｏｇｎｉｔｉｏｎ：光学的文字認識）技術を用いるが、文字認識の精度が低くなってしまうこともあり、人間による手動の入力も行われる。例えば、特許文献１には、人間が名刺画像の各部分に記述されている文字情報を、項目情報と共に入力することを支援するシステムが開示されている。
【先行技術文献】
【特許文献】
【０００４】
【特許文献１】特開２０１４−１５３９３９号公報
【発明の概要】
【発明が解決しようとする課題】
【０００５】
しかしながら、上記特許文献１に開示の技術では、人間によって手作業で名刺画像内の文字情報を登録しているため、文字認識の精度は向上するものの、作業に時間がかかる、という問題が生じる。そして、かかる問題は、名刺だけでなく、あらゆる文書内の文字情報を電子化する際にも生じうる。
【０００６】
このため、本発明の目的は、文書画像内の文字情報を登録する際に、文字認識の精度を高く維持しつつ、迅速な登録を支援することができる情報処理装置及び情報処理方法を提供することにある。
【課題を解決するための手段】
【０００７】
本発明の一形態である情報処理装置は、
画像情報内の文字情報と、当該文字情報の種類を表す項目と、を認識する認識手段と、
表示装置に、前記画像情報と、前記項目毎に対応する入力欄と、を表示すると共に、認識した前記文字情報を当該文字情報の前記項目に対応する前記入力欄内に表示して当該入力欄内において前記文字情報の修正入力を受け付け可能とする表示制御手段と、
前記入力欄に入力された前記文字情報を記憶装置に記憶する登録手段と、を備え、
前記認識手段は、認識した前記文字情報の認識精度を判別し、
前記表示制御手段は、前記文字情報の認識精度に応じて当該文字情報の前記項目に対応する前記入力欄の表示状態を制御する、
という構成をとる。
【０００８】
また、上記情報処理装置では、
前記表示制御手段は、認識精度が予め設定された基準よりも低い前記文字情報である対象文字情報の前記項目に対応する前記入力欄を、認識精度が予め設定された基準よりも高い他の前記文字情報の前記項目に対応する前記入力欄とは異なる特定表示状態で表示する、
という構成をとる。
【０００９】
また、上記情報処理装置では、
前記表示制御手段は、前記対象文字情報の前記項目に対応する前記入力欄に対する修正入力を受け付け可能とすると共に、前記画像情報内における前記対象文字情報の表示箇所を他の箇所とは異なる表示状態で表示する、
という構成をとる。
【００１０】
また、上記情報処理装置では、
前記表示制御手段は、前記画像情報及び前記入力欄は別に、前記画像情報内における前記対象文字情報の表示箇所を拡大して表示する、
という構成をとる。
【００１１】
また、上記情報処理装置では、
前記表示制御手段は、複数の前記項目にそれぞれ対応する複数の前記入力欄のうち一部の当該入力欄が表示領域に表示可能なようスクロール表示すると共に、前記表示領域に前記対象文字情報の前記項目に対応する前記入力欄が表示されている場合に、当該入力欄を前記特定表示状態で表示し、当該入力欄に入力されている前記対象文字情報の前記画像情報内における表示箇所を他の箇所とは異なる表示状態で表示し、さらに、当該表示箇所を拡大して表示する、
という構成をとる。
【００１２】
また、上記情報処理装置では、
前記表示制御手段は、前記対象文字情報の前記項目に対応する前記入力欄を、他の前記入力欄とは異なる色で表示する、
という構成をとる。
【００１３】
また、本発明の他の形態である情報処理方法は、
画像情報内の文字情報と、当該文字情報の種類を表す項目と、を認識する認識工程と、
表示装置に、前記画像情報と、前記項目毎に対応する入力欄と、を表示すると共に、認識した前記文字情報を当該文字情報の前記項目に対応する前記入力欄内に表示して当該入力欄内において前記文字情報の修正入力を受け付け可能する表示制御工程と、
前記入力欄に入力された前記文字情報を記憶装置に記憶する登録工程と、を有し、
前記認識工程は、認識した前記文字情報の認識精度を判別し、
前記表示制御工程は、前記文字情報の認識精度に応じて当該文字情報の前記項目に対応する前記入力欄の表示状態を制御する、
という構成をとる。
【発明の効果】
【００１４】
本発明は、以上のように構成されることにより、文書画像内の文字情報を登録する際に、文字認識の精度を高く維持しつつ、迅速な登録を支援することができる。
【図面の簡単な説明】
【００１５】
【図１】本発明の実施形態１における情報処理システム全体の構成を示すブロック図である。
【図２】図１に開示した名刺管理サーバにて処理され、ユーザ端末に表示される表示画面の一例を示す図である。
【図３】図１に開示した名刺管理サーバにて処理され、ユーザ端末に表示される表示画面の一例を示す図である。
【図４】図１に開示した名刺管理サーバにて処理され、ユーザ端末に表示される表示画面の一例を示す図である。
【図５】図１に開示した名刺管理サーバの動作を示すフローチャートである。
【発明を実施するための形態】
【００１６】
＜実施形態１＞
本発明の第１の実施形態を、図１乃至図５を参照して説明する。図１乃至図４は、情報処理システムの構成を説明するための図である。図５は、情報処理システムの動作を説明するための図である。
【００１７】
図１は、本発明における情報処理システムの全体構成を示している。情報処理システムは、名刺管理サーバ１と、複数のユーザ端末２と、を備える。名刺管理サーバ１は、名刺の電子化支援サービスを提供する情報処理装置である。ユーザ端末２は、名刺の電子化支援サービスを利用する利用者の情報処理端末である。
【００１８】
なお、名刺管理サーバ１が提供する名刺の電子化支援サービスは、以下に説明するように、紙媒体である名刺の画像データから、名刺内に記述されている文字情報を読取り、さらに、かかる文字情報の修正入力をユーザが容易に行うことができるよう支援するためのものである。例えば、名刺管理サーバ１は、ユーザ端末２からアクセスを受け付け、以下に説明するように、ユーザ端末２に対して名刺を電子化支援サービスの操作画面を表示するよう提示する。そして、名刺管理サーバ１は、操作画面に対するユーザ端末２からの入力を受け付けて、名刺データの登録を行う。但し、名刺管理サーバ１が提供する電子化支援サービスによって電子化する対象は、名刺だけであることに限定されず、いかなる印刷物であってもよい。
【００１９】
以下、主に名刺管理サーバ１の構成と動作について説明する。名刺管理サーバ１は、インターネットなどのネットワークＮ上に設置された演算装置及び記憶装置を備えた情報処理装置である。そして、名刺管理サーバ１は、図１に示すように、演算装置にプログラムが実行されることで構築された、画像入力部１１、認識部１２、表示制御部１３、登録部１４、を備えている。また、名刺管理サーバ１は、記憶装置に形成された、名刺データ記憶部１５を備えている。
【００２０】
上記画像入力部１１は、アクセスを受けたユーザ端末２に対して操作画面を表示するよう提供し、かかる操作画面を介してユーザ端末２から送信された名刺画像情報を受け取って、名刺データ記憶部１５に記憶する（図５のステップＳ１）。名刺画像情報は、例えば、ユーザ端末２がスキャナを用いて名刺の紙面を読み取った画像情報であったり、カメラにて名刺の紙面を撮影した画像情報など、いかなる画像情報であってもよい。なお、図２は、後述する操作画面の一例を示しているが、画像入力部１１は、符号３に示すような文字が記載された名刺の名刺画像情報を受け付ける。
【００２１】
上記認識部１２（認識手段）は、名刺画像情報内の文字情報を認識する（図５のステップＳ２：認識工程）。具体的に、認識部１２は、ＯＣＲ技術を用いて、名刺画像情報上から文字情報を認識し、認識した文字の配置に基づいて一群の文字列を認識する。例えば、名刺の紙面上において横方向または縦方向に一列に配置された文字列を、一群の文字列として認識する。一例として、図２に示す名刺の例では、それぞれ横方向の一列に配置された、符号３１に示す「情報システム本部  情報システム課」、符号３２に示す「課長」、符号３３に示す「山田  太朗」、符号３４に示す「ｙａｍａｄａ＠ａａａａｘｘ．ｊｐ」、符号３５に示す「ＡＡＡＡＡ株式会社」を、一群の文字列として認識する。なお、上述した認識部１２による文字列の認識方法は一例であって、いかなる方法で文字列を認識してもよい。また、このとき認識部１２は、名刺画像情報３上における文字列を認識した位置、つまり認識した文字列の表示箇所を表す「位置情報」も認識する。
【００２２】
また、認識部１２は、認識した文字情報の種類を表す項目、つまり、各文字列が該当する項目も認識する。例えば、認識部１２は、名刺全体に対する文字列の位置や大きさ、文字列の文字数、文字の内容などに基づいて、文字列が該当する項目を認識する。一例として、認識部１２は、符号３１の文字列「情報システム本部  情報システム課」については、「部」という文字が含まれていることや、後述するように「氏名」や「役職」の項目と認識された文字列の上に位置していることなどから、かかる文字列の項目を「部署」と認識する。また、符号３２の文字列「課長」については、「長」の文字が含まれており文字数が少ないことや、予め設定された役職を表す文字列と一致することなどから、かかる文字列の項目を「役職」と認識する。また、符号３３の文字列「山田  太朗」については、予め名字として設定された「山田」の文字が含まれていることや、名刺の中央に最も大きく配置されていることなどから、かかる文字列の項目を「氏名」と認識する。また、符号３４の文字列「ｙａｍａｄａ＠ａａａａａｘｘ．ｊｐ」については、「＠」の文字が含まれておりアルファベット表記であることなどから、かかる文字列の項目を「メールアドレス」と認識する。また、符号３５の文字列「ＡＡＡＡＡ株式会社」については、「株式会社」の文字が含まれていることなどから、かかる文字列の項目を「会社名」と認識する。なお、上述した認識部１２による文字列が該当する項目の認識方法は一例であって、いかなる方法で文字列に該当する項目を認識してもよい。
【００２３】
さらに、認識部１２は、上述したように認識した文字情報の認識精度を判別する（図５のステップＳ３）。具体的には、認識部１２は、文字列毎に、当該文字列に含まれる各文字の認識精度をそれぞれ判別し、当該文字列内の全ての文字の認識精度を集計して、文字列全体における認識精度を判別する。例えば、認識部１２は、各文字の認識精度として、認識対象となる文字の外観上の特徴量と、認識結果となる文字の予め設定されたモデルの特徴量と、の類似度を算出して用いる。そして、文字列全体において各文字の類似度を合算したり、平均値や最小値などを集計して、かかる集計した値を文字列全体の認識精度として利用する。一例として、認識部１２が、文字列に含まれる各文字の類似度のうち最も低い値を文字列全体の認識精度として判別する場合には、１つの文字だけでも極端に類似度が低い文字列は、認識精度が低いと判別されることとなる。但し、認識部１２は、いかなる方法で文字列の認識精度を判別してもよい。
【００２４】
そして、認識部１２は、上述したように認識した「文字列」毎に、当該文字列に該当する「項目」と、かかる文字列の「認識精度」と、さらに「文字列」が認識された名刺画像情報３上の「位置情報」と、を対応づけて、認識元となった名刺画像情報３に関連付けて、名刺データ記憶部１５に記憶する。
【００２５】
上記表示制御部１３は、上述したように名刺画像情報３に対する認識処理を行った認識結果を、図２に示すようなユーザ端末２の表示装置に表示される操作画面に表示する（表示制御工程）。図２に示す操作画面は、認識対象となっている名刺画像情報３を表示すると共に、認識した文字列と項目とを表示する認識文字表示領域５（表示領域）と、名刺画像情報上の一部を拡大表示する拡大表示領域４と、を表示する。
【００２６】
具体的に、表示制御部１３は、まず、名刺データ記憶部１５に記憶されている名刺画像情報３と併せて、かかる名刺画像情報に対応づけられている各「文字列」と、当該文字列の「項目」、「認識精度」、「位置情報」を読み出す。そして、表示制御部１３は、操作画面に、名刺画像情報３を表示すると共に、認識文字表示領域５に、この名刺画像情報３から認識された「文字列」が入力された入力欄と、当該文字列に該当すると認識された「項目」と、を対応づけて一行に表示し、項目毎に複数行を表示する（図５のステップＳ４）。一例として、表示制御部１３は、図２に示すように、一番上の行には、項目「部署」の表示と、かかる項目に対応する入力欄５１に入力された文字列「情報システム本部  情報システム課」と、を表示する。また、その下の行には、項目「役職」の表示と、かかる項目に対応する入力欄５２に入力された文字列「課長」と、を表示する。なお、さらにその下の行には、予め設定された項目「携帯電話」を表示すると共に、この項目に対応する入力欄５３を表示するが、かかる項目が名刺画像情報３から認識されなかったため、この入力欄５３には文字列を入力しない。
【００２７】
このように、表示制御部１３は、一行に項目と文字列の入力欄５１との対を表示し、認識文字表示領域５内に一度に複数行が表示されるように表示する。そして、表示制御部１３は、認識文字表示領域５内の表示内容をスクロール表示することができ、スクロールすることによって他の行の項目と文字列の入力欄との対を表示することができる。つまり、表示制御部１３は、認識文字表示領域５内に、複数の項目と文字列の入力欄との対のうち、一部を表示することができ、スクロールすることで他の一部も表示することができる。
【００２８】
そして、表示制御部１３は、認識文字表示領域５内に表示されている「文字列」に対応付けられた「認識精度」を調べ、かかる「認識精度」が予め設定された閾値（予め設定された基準）よりも低い場合に、この文字列（対象文字情報）の入力欄を他の入力欄とは異なる特定表示状態とする（図５のステップＳ５でＹｅｓ，ステップＳ６）。ここで、図３の場合を一例に説明する。この例では、認識文字表示領域５内に表示されている項目「部署」に対応する文字列の認識精度が閾値よりも低く、項目「役職」に対応する文字列の認識精度が閾値よりも高い、という状況であるとする。この場合、表示制御部１３は、文字列の認識精度が閾値よりも低い入力欄５１を、他の入力欄５２とは異なる色で表示する。例えば、文字列の認識精度が高い入力欄５２は基準色である白色のままであり、文字列の認識精度が低い入力欄５１は黄色などの基準色とは異なる目立つ色で表示する（斜線部分参照）。このとき、表示制御部１３は、入力欄５１内の入力された文字列自体も、他の入力欄５２内の文字とは異なる色で表示してもよい。例えば、入力欄５２内の文字は基準色である黒色で表示し、入力欄５１内の文字は赤色といった基準色とは異なる目立つ色で表示してもよい。
【００２９】
上記に加え、表示制御部１３は、認識精度が低い文字列に対応づけられた「位置情報」を調べ、操作画面に表示されている名刺画像情報３上において「位置情報」に対応する文字列の表示箇所を、他の箇所とは異なる表示状態で表示する。図３の例では、名刺の地色が白色である場合に、認識精度が低い文字列が認識された名刺画像情報３上の符号３１に示す文字列「情報システム本部  情報システム課」の表示箇所を、黄色といった目立つ色で表示する（斜線参照）。
【００３０】
さらに、表示制御部１３は、認識精度が低い文字列に対応づけられた「位置情報」に基づいて、名刺画像情報３上における「位置情報」に対応する文字列の表示箇所を、操作画面上の拡大表示領域４に拡大して表示する。図３の例では、認識精度が低い文字列が認識された名刺画像情報３上の符号３１に示す文字列「情報システム本部  情報システム課」の表示箇所を、拡大表示領域４内に符号４１に示すように拡大して表示する。
【００３１】
以上のように、表示制御部１３は、認識精度が低い文字列について、認識文字表示領域５内では入力欄５１を他とは異なる色で表示し、名刺画像情報３上では表示箇所を他とは異なる色で表示し、名刺画像情報上の表示箇所を拡大表示領域４に拡大して表示する。これにより、認識精度が低い文字列を、ユーザは操作画面上で容易に把握することができる。
【００３２】
そして、表示制御部１３は、認識文字表示領域５内で入力欄５１に文字列を入力して表示しているが、かかる入力欄５１内で文字情報の修正入力を受け付けることができる。このため、ユーザは、操作画面上で、名刺画像情報３上の表示箇所や拡大表示領域４に拡大表示された文字列を見て、入力欄５１内に入力された認識精度が低い文字列を修正入力することができる。
【００３３】
ここで、認識文字表示領域５内の表示をスクロールさせた例を図４に示す（図５のステップＳ４）。この例では、項目「メールアドレス」と認識した文字列の入力欄５４との対、項目「会社名」と認識した文字列の入力欄５５との対、項目「ＵＲＬ」と認識した文字列の入力欄５６との対、がスクロール表示されていることとする。このとき、認識文字表示領域５内に表示されている「文字列」のうち、項目「メールアドレス」の文字列の「認識精度」が閾値よりも低いこととする（図５のステップＳ５）。この場合、表示制御部１３は、認識精度が低い文字列の入力欄５４を他とは異なる色で表示し、名刺画像情報３上では符号３４に示すようにかかる文字列の表示箇所を他とは異なる色で表示し、名刺画像情報上の表示箇所を拡大表示領域４内の符号４２に示すように拡大して表示する（図５のステップＳ６）。そして、表示制御部１３は、かかる文字列の入力欄５４内に入力された認識精度が低い文字列の修正入力を受け付けることができる。
【００３４】
なお、表示制御部１３は、認識精度の低い文字列の入力欄を、上述したように他の入力欄とは異なる色で表示することに限定されず、他の表示状態で表示するよう制御してもよい。例えば、認識精度の低い文字列の入力欄の周囲に、修正入力に関するアドバイス情報を表示してもよい。一例としては、認識精度の低い文字列の項目に応じて予め設定された文字種類の制限、などの修正入力に関するアドバイス情報を表示してもよい。
【００３５】
また、表示制御部１３は、認識精度の低い文字列の入力欄を、認識精度の値に応じて異なる表示状態としてもよい。例えば、認識精度に対する閾値を段階的に複数設定し、認識精度の段階に応じてそれぞれ異なる表示状態としてもよい。一例としては、閾値を２つ用意しておき、値が小さい方の第１閾値よりも低い認識精度である文字列については、入力欄に文字列の修正を促す表示を行い、値が大きい方の第２閾値と上記第１閾値との間の認識精度である文字列については、入力欄に確認を促す表示を行ってもよい。
【００３６】
上記登録部１４（登録手段）は、操作画面上でユーザによる文字列の修正入力が終了し、「登録」ボタンが押されると、各入力欄に入力されている文字列を該当する項目に対応づけて、名刺画像情報３と共に名刺データ記憶部１５に記憶する（図５のステップＳ７でＹｅｓ，ステップＳ８：登録工程）。これにより、名刺の電子化が完了する。
【００３７】
以上のように、本発明では、名刺画像から文字列が認識され、認識精度が低い文字列がユーザに視認されやすいよう表示される。また、認識精度が低い文字列の認識元となる名刺画像情報の表示箇所もユーザに認識されやすいように表示される。このため、ユーザは、修正が必要な箇所のみを容易かつ正確に文字情報を修正して登録することができ、高精度に短時間で名刺の電子化を行うことができる。また、名刺だけでなく、あらゆる文書の電子化にも適用可能である。
【００３８】
ここで、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００３９】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００４０】
１  名刺管理サーバ
１１  画像入力部
１２  認識部
１３  表示制御部
１４  登録部
１５  名刺データ記憶部
２  ユーザ端末
３  名刺画像情報
４  拡大表示領域
５  認識文字表示領域
【図１】
2020017149.tif 000003
【図２】
2020017149.tif 000004
【図３】
2020017149.tif 000005
【図４】
2020017149.tif 000006
【図５】
2020017149.tif 000007